(57)【特許請求の範囲】
【請求項１】
天井に固定された引掛シーリングボディと、外面にホルダ用雄ねじ部を形成した略筒状のねじ込みソケット部を有しこのねじ込みソケット部の後端の両側に一対の突出部を有し前記引掛シーリングボディの一対の受刃に接続する一対の栓刃を前記一対の突出部に有するランプソケットと、前記突出部を有する前記ランプソケットに挿通する略鍵穴状の挿通孔を中心に有する略皿状であって上端の外周縁が前記天井に当接して前記引掛シーリングボディおよび前記ランプソケットを被覆するフランジと、前記ホルダ用雄ねじ部に螺合されて前記フランジを前記天井に押し付けるホルダーナットとを備えた照明器具において、前記引掛シーリングボディの取付金具を挿通可能な一対の切欠部を前記栓刃の対向方向と略直角な方向に対向するように前記フランジの前記外周縁に形成したことを特徴とする照明器具。
【請求項２】
前記切欠部はノックアウト板で被覆されている請求項１記載の照明器具。
【発明の詳細な説明】
【０００１】
【産業上の利用分野】
この発明は、照明器具に関するものである。
【０００２】
【従来の技術】
第１の従来例を図５に示す。すなわち、この照明器具は、天井に取付けた引掛シーリングボディ７０を木ねじ７１で天井に取付け、栓刃７２の付いたランプソケット７３を引掛シーリングボディ７０に引掛ている。７４はランプソケット７３に支持されたグローブ、７５はランプソケット７３に装着された白熱ランプである。
【０００３】
第２の従来例を図６に示す。すなわち、この照明器具は、外表面にホルダ用雄ねじ部７６を設けたランプソケット７３を取付けたソケット台７７を天井に取付け、ランプソケット７３にフランジ７８を通し、ホルダ用雄ねじ部７６にホルダーナット７９を螺合してフランジ７８を天井に固定している。８０は端子台である。
【０００４】
第３の従来例を図７に示す。すなわち、この照明器具は、引掛シーリングボディ７０の受刃に接続する栓刃がある引掛シーリングキャップ８１を有するとともに、天井に取付けた引掛シーリングボディ７０の取付金具８２に器具本体８３のフランジ８４をローレットつまみ８５により取付けている。８６はアーム、８７はコネクタ、８８はスイッチつまみ、８９は灯具本体、９０はランプ支持ばね、９１は豆球、９２はグロースタータ、９３はランプ、９４はグローブ、９５はランプソケットである。
【０００５】
【発明が解決しようとする課題】
しかし、第１の従来例は、引掛シーリングホディ７０が露出しているため外観が良好でない欠点があった。
第２の従来例は、ソケット台７７をフランジ７８により被覆することができるが、ランプソケット７３に栓刃がないため、既設の引掛シーリングボディ７０に取付けることができず、別に天井取付け作業が必要であった。
【０００６】
第３の従来例は、フランジ８４が取付金具８２に取付けられ、かつこの取付金具８２を被覆するため、フランジ８４が大きくなるという欠点があった。
したがって、この発明の目的は、ランプソケットの栓刃を引掛シーリングボディの受刃に接続するものにおいて、フランジを小型にできる照明器具を提供することである。
【０００７】
【課題を解決するための手段】
請求項１の照明器具は、天井に固定された引掛シーリングボディと、外面にホルダ用雄ねじ部を形成した略筒状のねじ込みソケット部を有しこのねじ込みソケット部の後端の両側に一対の突出部を有し前記引掛シーリングボディの一対の受刃に接続する一対の栓刃を前記一対の突出部に有するランプソケットと、前記突出部を有する前記ランプソケットに挿通する略鍵穴状の挿通孔を中心に有する略皿状であって上端の外周縁が前記天井に当接して前記引掛シーリングボディおよび前記ランプソケットを被覆するフランジと、前記ホルダ用雄ねじ部に螺合されて前記フランジを前記天井に押し付けるホルダーナットとを備えた照明器具において、前記引掛シーリングボディの取付金具を挿通可能な一対の切欠部を前記栓刃の対向方向と略直角な方向に対向するように前記フランジの前記外周縁に形成したことを特徴とするものである。
【０００８】
請求項２の照明器具は、請求項１において、前記切欠部をノックアウト板で被覆したものである。
【０００９】
【作用】
請求項１の照明器具によれば、ランプソケットの栓刃を引掛シーリングボディの受刃に接続し、ランプソケットにフランジならびに必要な場合にはセード等を通し、ランプソケットのホルダ用雄ねじ部にホルダーナットを螺合してフランジを天井に押圧固定する。また埋込ローゼットなど天井に引掛シーリングボディの取付金具が付く場合、取付金具が切欠部を通ることができるため、フランジの外周縁の全周を天井に押付けることができるのでフランジを安定に固定できるとともに、フランジを小型化できる。さらに引掛シーリングボディの電源線が天井の下面に沿う外部配線である場合、外部配線をフランジの外周縁の切欠部に挿通できる。
【００１０】
請求項２の照明器具によれば、請求項１において、前記切欠部をノックアウト板で被覆したため、請求項１の作用のほか、取付金具や外部配線がない場合でもノックアウト板を破らずに使用できるので、下から見ても見栄えがよい。
【００１１】
【実施例】
この発明の一実施例を図１および図２により説明する。すなわち、この照明器具は、引掛シーリングボディ１と、ランプソケット２と、フランジ３と、ホルダーナット４とを有する。
引掛シーリングボディ１は天井７に取付けられる。実施例は取付金具５を取付けた埋込ローゼットを用い、木ねじ等の取付具により天井７に取付けている。
【００１２】
ランプソケット２は、外面にホルダ用雄ねじ部６を形成した略筒状のねじ込みソケット部８を有し、ねじ込みソケット部８の後端に引掛シーリングボディ１の受刃に接続する栓刃９を有する。実施例のランプソケット２は、ねじ込みソケット部８の後端の両側部に後端面に連続する一対の突出部１０を設け、突出部１０およびねじ込みソケット部８の後端面に栓刃９をねじ１１により取付けている。またねじ込みソケット部８は内面にランプ口金を螺合する雌ねじ部１２を形成するとともに栓刃９に接続される接片１３を設けている。ねじ込みソケット部８に白熱ランプ（図示せず）等の雄ねじを形成したランプ口金が装着される。
【００１３】
フランジ３は、ランプソケット２に挿通する挿通孔１４を中心に有する略皿状であって上端の外周縁が天井７に当接して引掛シーリングボディ１およびランプソケット２を被覆する。そして、切欠部１５をフランジ３の外周縁に設けているが、実施例では切欠部１５はノックアウト板１６を一体形成して切欠部１５を被覆しており、必要時にノックアウト板１６を打ち破って切欠部１５を形成することができるようにしている。また切欠部１５はその対向方向が栓刃９の対向方向と略直角をなすように形成されている。また挿通孔１４は図２に示すようにランプソケット２の突出部１０およびねじ込みソケット部８に嵌合する略鍵穴状に形成している。このため、フランジ３をねじ込みソケット２に通すと挿通孔１４が突出部１０を挿通することにより、ランプソケット２に対してフランジ３の切欠部１５が一定の方向を向くこととなる。
【００１４】
ホルダーナット４は、ホルダ用雄ねじ部６に螺合されてフランジ３を天井７に押し付ける。実施例ではフランジ３の下端部に連なるような大きさの略皿形に形成し、ホルダ用雄ねじ部６に螺合する雌ねじ１８を中央に形成し、上端の外周縁をフランジ３の下面に当接している。なお、セード等を付けるときはフランジ３とともにセード等を通してホルダーナット４により固定する。
【００１５】
この照明器具は、ランプソケット２の栓刃９を引掛シーリングボディ１の受刃に接続し、ランプソケット２にフランジ３を通し、ランプソケット２のホルダ用雄ねじ部６にホルダーナット４を螺合してフランジ３を天井７に押圧する。またねじ込みソケット部８にランプを装着すると引掛シーリングボディ１、栓刃９および接片１３を通してランプに給電され点灯する。
【００１６】
また埋込ローゼットの取付金具５が付いている場合、取付金具５が切欠部１５を通るため、フランジ３の外周縁の全周を天井７に押付けることができるのでフランジ３を安定に固定できるとともに、フランジ３を小型化できる。
さらに切欠部１５の対向方向が栓刃９の対向方向と略直角をなすように形成しているため、ランプソケット２を引掛シーリングボディ１に接続し、フランジ３を嵌合すると、切欠部１５が取付金具５の延び方向に位置するので取付けしやすく、また取付金具５が切欠部１５に係合してフランジ３の回転を阻止するのでフランジ３が固定しやすい。
【００１７】
図３は他の実施例を示し、フランジ３の切欠部１５が開口されているとともに、引掛シーリングボディ１が角型引掛シーリングボディであり、その電源線１９が図３に示すように、天井の下面に沿う外部配線１９の場合である。その他は前記した実施例と同様である。この実施例の場合、外部配線１９はフランジ３の切欠部１５を通ることができる。したがってフランジ３が外部配線１９の上に乗り上げることがなくフランジ３が安定して固定される。また外部配線１９は引掛シーリングボディ１の長辺側面の切欠２０から挿入されるので、切欠部１５の対向方向が栓刃９の対向方向と略直角をなすように形成されていると、外部配線１９のフランジ３内での引回し処理がやりやすい。
【００１８】
図４はさらに他の実施例を示し、フランジ３の切欠部１５がノックアウト板１６で閉じられた状態であり、かつランプソケット２はねじ込みソケット部８の後端にねじ込みソケット部８の径よりも大きいつば部２１に栓刃９を形成している。その他は前記した実施例と同様である。２３は白熱ランプ、２４はセードである。この実施例の場合、切欠部１５をノックアウト板１６で被覆したため、取付金具や外部配線がない場合でもノックアウト板１６を破らずに使用できるので、下から見ても見栄えがよい。
【００１９】
なお、切欠部１５をノックアウト板１６で一体に被覆する場合に限らず、別部品の蓋（図示せず）で切欠部１５を被覆するようにしてもよい。
【００２０】
【発明の効果】
請求項１の照明器具によれば、ランプソケットの栓刃を引掛シーリングボディの受刃に接続し、ランプソケットにフランジならびに必要な場合にはセード等を通し、ランプソケットのホルダ用雄ねじ部にホルダーナットを螺合してフランジを天井に押圧固定する。また埋込ローゼットなど天井に引掛シーリングボディの取付金具が付く場合、取付金具が切欠部を通ることができるため、フランジの外周縁の全周を天井に押付けることができるのでフランジを安定に固定できるとともに、フランジを小型化できる。さらに引掛シーリングボディの電源線が天井の下面に沿う外部配線である場合、外部配線をフランジの外周縁の切欠部に挿通できるという効果がある。
【００２１】
請求項２の照明器具によれば、請求項１において、前記切欠部をノックアウト板で被覆したため、請求項１の効果のほか、取付金具や外部配線がない場合でもノックアウト板を破らずに使用できるので、下から見ても見栄えがよい。
【図面の簡単な説明】
【図１】この発明の一実施例の半断面図である。
【図２】その天井側からみた平面図である。
【図３】他の実施例の斜視図である。
【図４】さらに他の実施例の分解斜視図である。
【図５】第１の従来例の分解斜視図である。
【図６】第２の従来例の分解斜視図である。
【図７】第３の従来例の要部分解斜視図である。
【符号の説明】
１    引掛シーリングボディ
２    ランプソケット
３    フランジ
４    ホルダーナット
５    取付金具
６    ホルダ用雄ねじ部
７    天井
８    ねじ込みソケット部
９    栓刃
１４    挿通孔
１５    切欠部
１６    ノックアウト板
【図１】
0003721590.tif 000002
【図２】
0003721590.tif 000003
【図３】
0003721590.tif 000004
【図４】
0003721590.tif 000005
【図５】
0003721590.tif 000006
【図６】
0003721590.tif 000007
【図７】
0003721590.tif 000008